(57)【要約】      （修正有）【課題】電気機器を容易に設置することができるとともに、設置された電気機器が振動などによっても外れ難くすることができる電気機器の固定構造を提供する。【解決手段】電気機器の設置対象面から上方に突出する突起部１３ａ、１３ｂと、電気機器に固定された平板状の第１の固定部材５１と、第１の固定部材に設けられ、スライド方向に開放するＵ字形状の切欠き部５４、５６と、第１の固定部材に設けられ、上方に折り曲げられた側面部５３と、電気機器をスライドさせることにより第１の固定部材の切欠き部に対して突起部が嵌合された状態において、突起部に嵌合される第１の嵌合孔１０４および側面部に嵌合される第２の嵌合孔を有する第２の固定部材１０１と、第２の固定部材が突起部に嵌合された状態において設置対象面と第２の固定部材との間に第１の固定部材を挟んで突起部と締結される締結手段９１、９２を備える。【選択図】図７
2019212767.tif 000002
【特許請求の範囲】
【請求項１】
電気機器を設置対象面上でスライドさせて固定する電気機器の固定構造において、
前記電気機器の設置対象面から上方に突出する突起部と、
前記電気機器に固定された平板状の第１の固定部材と、
前記第１の固定部材に設けられ、スライド方向に開放するＵ字形状の切欠き部と、
前記第１の固定部材に設けられ、上方に折り曲げられた立曲げ部と、
前記電気機器をスライドさせることにより前記第１の固定部材の前記切欠き部に対して前記突起部が嵌合された状態において、前記突起部に嵌合される第１の嵌合孔および前記立曲げ部に嵌合される第２の嵌合孔を有する第２の固定部材と、
前記第２の固定部材が前記突起部に嵌合された状態において前記設置対象面と前記第２の固定部材との間に前記第１の固定部材を挟んで前記突起部と締結される締結手段とを備えた
ことを特徴とする電気機器の固定構造。
【請求項２】
前記立曲げ部は、前記電気機器の前記スライド方向に平行に形成されていることを特徴する請求項１に記載の電気機器の固定構造。
【請求項３】
前記第１の固定部材が前記電気機器の両側にそれぞれ前記電気機器の底面に対して面一になるように取り付けられていることを特徴とする請求項１または請求項２に記載の電気機器の固定構造。
【請求項４】
前記第２の固定部材には、前記第２の固定部材の取付方向を示す方向特定形状部が形成されていることを特徴とする請求項３に記載の電気機器の固定構造。
【請求項５】
前記第２の固定部材には少なくとも１つの角部に前記方向特定形状部として面取り部が形成され、
前記電気機器の両側で同一形状の前記第２の固定部材が取り付け可能とされていることを特徴とする請求項４に記載の電気機器の固定構造。
【発明の詳細な説明】
【技術分野】
【０００１】
本発明は、電気機器を例えば床面に固定する電気機器の固定構造に関する。
【背景技術】
【０００２】
従来、例えば太陽光発電などの再生可能エネルギーを利用した太陽光発電設備と、蓄電池ユニットを有する蓄電システムを住宅などの建物に備えた電力システムが考えられている（特許文献１参照）。
【０００３】
このような電力システムでは、設置場所に対して蓄電池ユニットをボルトなどによって固定する設置方法が用いられている。
【先行技術文献】
【特許文献】
【０００４】
【特許文献１】特開２０１８−６０９７号公報
【発明の概要】
【発明が解決しようとする課題】
【０００５】
蓄電池ユニットをボルトなどによって設置する場合、蓄電池ユニットに設けられたボルトを通す孔と、設置場所に設けられたボルト孔とを位置合わせする必要があり、重量のある蓄電池ユニットを正確に位置合わせすることが難しい問題があった。
【０００６】
一方、蓄電池ユニットを屋内に設置することも考えられている。この場合、例えば図１２に示すように、床面にベースプレート２と呼ばれる固定用の板材を予め固定し、当該ベースプレート２に対して蓄電池ユニット４を設置するようになっている。
【０００７】
具体的には、嵌合孔３ａ、３ｂが形成された平板状の取付金具３を蓄電池ユニット４に設け、この取付金具３が設けられたユニット本体をベースプレート２の所定位置に設置する。ベースプレート２の所定位置には、スタッド２ａ、２ｂが突出形成されており、当該スタッド２ａ、２ｂに取付金具３の嵌合孔３ａ、３ｂを嵌合させることによって、ベースプレート２上において蓄電池ユニット（ユニット本体）４を位置決めするように構成されている。
【０００８】
しかしながら、ベースプレート２上においてスタッド２ａ、２ｂを取付金具３の嵌合孔３ａ、３ｂに嵌合させるためには、一旦ユニット本体を持ち上げる必要があった。特に、屋内に蓄電池ユニットを設置する場合、比較的狭い場所に設置することが考えられ、このような設置場所において比較的重量のあるユニット本体を持ち上げてスタッド２ａ、２ｂと嵌合孔３ａ、３ｂとの位置合わせを行うことは、設置作業の困難性を高めていた。
【０００９】
本発明は、以上の点を考慮してなされたものであり、電気機器の設置を容易に行い得る電気機器の固定構造を提供することを目的とするものである。
【課題を解決するための手段】
【００１０】
本発明の電気機器の固定構造は、電気機器を設置対象面上でスライドさせて固定する電気機器の固定構造において、前記電気機器の設置対象面から上方に突出する突起部と、前記電気機器に固定された平板状の第１の固定部材と、前記第１の固定部材に設けられ、スライド方向に開放するＵ字形状の切欠き部と、前記第１の固定部材に設けられ、上方に折り曲げられた立曲げ部と、前記電気機器をスライドさせることにより前記第１の固定部材の前記切欠き部に対して前記突起部が嵌合された状態において、前記突起部に嵌合される第１の嵌合孔および前記立曲げ部に嵌合される第２の嵌合孔を有する第２の固定部材と、前記第２の固定部材が前記突起部に嵌合された状態において前記設置対象面と前記第２の固定部材との間に前記第１の固定部材を挟んで前記突起部と締結される締結手段とを備えたことを特徴とする。
【００１１】
この構造によれば、電気機器をスライドさせて容易に設置することが可能となるとともに、固定された電気機器が地震などの震動の発生によっても簡単に外れないようにすることができる。
【００１２】
また本発明の電気機器の固定構造は、上記構造において、前記立曲げ部は、前記電気機器の前記スライド方向に平行に形成されていることを特徴とする。
【００１３】
この構造によれば、スライド方向に対する立曲げ部の強度および耐久性を向上させることができる。
【００１４】
また本発明の電気機器の固定構造は、上記構造において、前記第１の固定部材が前記電気機器の両側にそれぞれ前記電気機器の底面に対して面一になるように取り付けられていることを特徴とする。
【００１５】
この構造によれば、第１の固定部材を電気機器とともに設置対象面上をスライドさせることができ、第１の固定部材の切欠き部を設置対象面に設けられた突起部に嵌合させることができる。
【００１６】
また本発明の電気機器の固定構造は、上記構造において、前記第２の固定部材には、前記第２の固定部材の取付方向を示す方向特定形状部が形成されていることを特徴とする。
【００１７】
この構造によれば、第２の固定部材の取付方向を手探りで把握することができることにより、例えば狭い設置場所に電気機器を設置する場合においても、手探りで第２の固定部材の取付方向を把握してこれを容易に取り付けることができる。
【００１８】
また本発明の電気機器の固定構造は、上記構造において、前記第２の固定部材には少なくとも１つの角部に前記方向特定形状部として面取り部が形成され、前記電気機器の両側で同一形状の前記第２の固定部材が取り付け可能とされていることを特徴とする。
【００１９】
この構造によれば、角部に面取り部が形成されていることにより、手探りであっても一段と容易に取付方向を把握し易くすることができる。しかも、電気機器の両側で共通の部材（第２の固定部材）を用いることから部材管理が容易となるとともに製造コストを低減することができる。
【発明の効果】
【００２０】
本発明によると、電気機器を容易に設置することができるとともに、設置された電気機器が振動などによっても外れ難くすることができる。
【図面の簡単な説明】
【００２１】
【図１】本発明の実施形態に係る電気機器の固定構造を示す斜視図である。
【図２】本発明の実施形態に係る電気機器の固定構造を示す斜視図である。
【図３】本発明の実施形態に係るベースプレートの構成を示す平面図である。
【図４】本発明の実施形態に係る蓄電池ユニットのスライド方向の説明に供する平面図である。
【図５】本発明の実施形態に係る固定金具を示す斜視図である。
【図６】本発明の実施形態に係る固定金具を示す斜視図である。
【図７】本発明の実施形態に係る板ワッシャーの取付方法の説明に供する斜視図である。
【図８】本発明の実施形態に係る板ワッシャーの構成を示す平面図である。
【図９】本発明の実施形態に係る固定金具および板ワッシャーの締結状態を示す斜視図である。
【図１０】本発明の実施形態に係る板ワッシャーの構成を示す平面図である。
【図１１】本発明の実施形態に係るスタッドおよび立曲げ部の高さを示す側面図である。
【図１２】従来例の説明に供する斜視図である。
【発明を実施するための形態】
【００２２】
以下、本発明の実施形態について、添付図面に基づき詳細に説明する。
図１に示すように、本実施形態に係る電気機器の固定構造は、屋内の設置場所に予め固定されたベースプレート１０上に蓄電池ユニット３０を固定するものである。
【００２３】
図１および図２に示すように、ベースプレート１０は、蓄電池ユニット３０を載置可能な形状および大きさをなす電気亜鉛めっき鋼板（ＳＥＣＣ）に塗装を施した板状部材である。本実施形態の場合、蓄電池ユニット３０が直方体形状をなしていることに応じて、ベースプレート１０も当該蓄電池ユニット３０を載置可能な長方形形状をなしている。
【００２４】
ベースプレート１０においては、その長方形形状の一方の短辺（右縁部１０ａ）および当該一方の短辺に対向する他方の短辺（左縁部１０ｂ）に沿って、複数のネジ孔１５が形成されており、このネジ孔１５を介してボルト等の固定用部材を挿通することによりベースプレート１０を床面にネジ止めすることができる。
【００２５】
また、ベースプレート１０の上面においては、右縁部１０ａの近傍において当該右縁部１０ａに沿って植込みボルト（以下、スタッドと呼ぶ）１２ａ、１２ｂ（本発明の突起部）が所定間隔を隔てて圧入され、左縁部１０ｂの近傍において当該左縁部１０ｂに沿ってスタッド１３ａ、１３ｂ（本発明の突起部）が所定間隔を隔てて圧入されている。これらのスタッド１２ａ、１２ｂ、１３ａ、１３ｂはベースプレート１０の上面から上方に突出するように形成されている。本実施形態の場合、スタッド１２ａ、１２ｂ、１３ａ、１３ｂとして規格Ｍ８のものが用いられる。
【００２６】
右縁部１０ａの近傍に設けられたスタッド１２ａおよび１２ｂは、互いに左右にシフトした位置に設けられている。また、左縁部１０ｂの近傍に設けられたスタッド１３ａおよび１３ｂは、互いに左右にシフトした位置に設けられている。
【００２７】
また、ベースプレート１０の上面には、当該ベースプレート１０の後縁部１０ｃの近傍にストッパ１４が上方に突出形成されている。このストッパ１４は、図１に示すように、ベースプレート１０上を矢印Ａで示す前（前縁部１０ｄ）から後（後縁部１０ｃ）に向けてスライドさせて設置する蓄電池ユニット３０に当接して当該蓄電池ユニット３０を位置決めすることができるようになっている。
【００２８】
蓄電池ユニット３０は、複数の蓄電池を一体化し全体として直方体形状をなすものである。蓄電池ユニット３０の左右両側部には、運搬用ハンドル３１が設けられており、この運搬用ハンドル３１を持って蓄電池ユニット３０を持ち運ぶことができる。
【００２９】
蓄電池ユニット３０は平面長方形形状をなしており、その左右両側部を短辺、前後両側部を長辺とする。蓄電池ユニット３０の右側面部３０ａの最下部には、水平面をなす基底部４２（図１および図４）と当該基底部４２に対して垂直方向に折り曲げられてなる側面部４３（図４）とを有するＬ字形状の固定金具４１（図１および図４）がネジ止めされている。また、蓄電池ユニット３０の左側面部３０ｂの最下部には、水平面をなす基底部５２と当該基底部５２に対して垂直方向に折り曲げられてなる側面部５３とを有するＬ字形状の固定金具５１（図４）がネジ止めされている。固定金具４１、５１は、冷間圧延鋼板（ＳＰＣＣ）にめっき処理を施したものである。
【００３０】
すなわち、蓄電池ユニット３０の右側面部３０ａにおいて、固定金具４１はその基底部４２が蓄電池ユニット３０の底面に対して面一となるように当該蓄電池ユニット３０の右側面部３０ａに側面部４３を介してネジ止めされている。また、蓄電池ユニット３０の左側面部３０ｂにおいて、固定金具５１はその基底部５２が蓄電池ユニット３０の底面に対して面一となるように当該蓄電池ユニット３０の左側面部３０ｂに側面部５３を介してネジ止めされている。なお、側面部４３、５３には、ネジ止め用の孔４３ａ（図５）、５３ａ（図６）が設けられている。
【００３１】
図５に示すように、固定金具４１の基底部４２には、２つのＵ字切欠き部４４、４６が形成されている。Ｕ字切欠き部４４、４６はいずれも蓄電池ユニット３０のスライド方向（矢印Ａ方向）である後方を開放するＵ字状に切り欠かれた形状をなしており、固定金具４１の前後方向に所定間隔を隔て、互いに左右にシフトした位置に設けられている。
【００３２】
一方のＵ字切欠き部４４には、その後方に開放する開放部４４ａの両端部４５ａ、４５ｂには、後方に向かって水平方向斜めに拡がるガイド部４５ｃ、４５ｄが設けられ、Ｕ字切欠き部４４内にスタッド１２ａ（図３、図４）を呼び込みやすくなっている。
【００３３】
Ｕ字切欠き部４４の開放部４４ａの一方の端部４５ｂは後方に突出する突状に形成されており、当該突形状においてガイド部４５ｄの反対側には端縁が切り欠かれてなる水平方向斜めに形成されたガイド部４５ｅが設けられている。このガイド部４５ｅから前方に略直線状に延びる側縁部４２ａに続いて、前方のＵ字切欠き部４６が設けられている。
【００３４】
Ｕ字切欠き部４６は、後方に開放する開放部４６ａにおいて、前記略直線状の側縁部４２ａに臨む端部４７ａが後方に突出する突状に形成されており、当該突形状において後方に向かって水平方向斜めに拡がるガイド部４７ｂが開放部４６ａに面して設けられている。端部４７ａにおいてガイド部４７ｂの反対側には端縁が切り欠かれてなる水平方向斜めに形成されたガイド部４７ｃが設けられている。すなわち、端部４７ａには、その先端部両側において水平方向に傾斜したガイド部４７ｂ、４７ｃが形成されている。これらのガイド部４７ｂ、４７ｃのうち、開放部４６ａに面したガイド部４７ｂによって、Ｕ字切欠き部４６内にスタッド１２ｂ（図３、図４）を呼び込みやすくなっている。
【００３５】
また、Ｕ字切欠き部４４とＵ字切欠き４６との間に形成されている側縁部４２ａには、基底部４２に対して垂直上方に折り曲げられてなる立曲げ部４８が設けられている。この立曲げ部４８は、側縁部４２ａから水平方向に突出しないように設けられていることにより、ガイド部４５ｅからＵ字切欠き部４６に向かって当該側縁部４２ａに沿ってスタッド１２ｂを円滑に呼び込むことができるようになっている。立曲げ部４８の詳細構成については後述する。
【００３６】
一方、蓄電池ユニット３０の他方の側面部（左側面部）３０ｂには、上述した固定金具４１と左右対称形でなる固定金具５１が固定金具４１と同様に設けられている。すなわち、図６に示すように、固定金具５１の基底部５２には、２つのＵ字切欠き部５４、５６が形成されており、それぞれの開放部５４ａ、５６ａには、ガイド部５５ｃ、５５ｄおよび５７ｂが形成されている。これにより、ベースプレート１０（図３）上で蓄電池ユニット３０を矢印Ａで示す方向（後方）にスライドさせる際に、Ｕ字切欠き部５４、５６内にスタッド１３ａ、１３ｂ（図３、図４）を呼び込みやすくなっている。
【００３７】
このように、蓄電池ユニット３０においては、その両側部（右側面部３０ａ、左側面部３０ｂ）に左右対称形の固定金具４１、５１（本発明の第１の固定部材）を設けることにより、ベースプレート１０上において蓄電池ユニット３０を前から後ろへ矢印Ａ方向にスライドさせることで、スタッド１２ａ、１２ｂ、１３ａ、１３ｂを固定金具４１、５１のＵ字切欠き部４４、４６、５４、５６に対してそれらの開放部４４ａ、４６ａ、５４ａ、５６ａ側から嵌合させることができる。
【００３８】
図４に示すように、固定金具４１、５１のＵ字切欠き部４４、４６、５４、５６にスタッド１２ａ、１２ｂ、１３ａ、１３ｂが嵌合された状態において、図３に示すように、平板形状の板ワッシャー８１、１０１（本発明の第２の固定部材）を、固定金具４１、５１の上から被せるように固定する。板ワッシャー８１、１０１は、冷間圧延鋼板（ＳＰＣＣ）にめっき処理を施したものである。
【００３９】
ここで、板ワッシャー８１、１０１の詳細な構成について説明する。図７は、蓄電池ユニット３０の他方の側面部３０ｂにおいて固定金具５１にスタッド１３ａ、１３ｂが嵌合された状態を示す斜視図であり、この状態において上方から板ワッシャー１０１を被せるように固定する。
【００４０】
図８に示すように、板ワッシャー１０１は、全体が略四角形形状の平板で構成されており、その１つの角部に面取り部１０５（本発明の方向特定形状部）が形成されている。また板ワッシャー１０１には、スタッド１３ａに嵌合可能な嵌合孔１０２（本発明の第１の嵌合孔）と、スタッド１３ｂに嵌合可能な嵌合孔１０３（本発明の第１の嵌合孔）が形成されている。嵌合孔１０２、１０３は、スタッド１３ａ、１３ｂに同時に嵌合可能な位置に形成されている。
【００４１】
また、板ワッシャー１０１には、嵌合孔１０２、１０３とともに、固定金具５１の立曲げ部５８に嵌合可能な長孔形状の角孔１０４（本発明の第２の嵌合孔）が形成されている。この角孔１０４は、立曲げ部５８の形状に合わせて、蓄電池ユニット３０のスライド方向（矢印Ａ方向）に平行に形成されている。この角孔１０４は、スタッド１３ａ、１３ｂに嵌合孔１０２、１０３を嵌合させる際に同時に立曲げ部５８に嵌合可能な位置に形成されている。因みに、立曲げ部５８の一方の角部には切欠き部５８ａ（図６）が形成されており、板ワッシャー１０１の角孔１０４に対して立曲げ部５８を嵌合させ易くなっている。
【００４２】
これにより、図９に示すように、スタッド１３ａ、１３ｂおよび立曲げ部５８に板ワッシャー１０１の嵌合孔１０２、１０３および角孔１０４を嵌合させることで、当該板ワッシャー１０１を固定金具５１の上面部５２に当接させることができる。この状態において、スタッド１３ａ、１３ｂにスプリングワッシャー９２を介してナット９１（本発明の締結手段）を螺合させることにより、ベースプレート１０上に固定金具５１を挟んで板ワッシャー１０１を固定することができる。
【００４３】
また、蓄電池ユニット３０の一方の側面部３０ａにおいても、図８について上述した板ワッシャー１０１と左右対称形の形状を有する板ワッシャー８１を用い、板ワッシャー１０１による固定構造と同様の構造によって、ベースプレート１０上に固定金具４１（図４、図５）を挟んで板ワッシャー８１を固定するようになっている。
【００４４】
具体的には、図１０に示すように、板ワッシャー８１は、全体が略四角形形状の平板で構成されており、その１つの角部に面取り部８５（本発明の方向特定形状部）が形成されている。また板ワッシャー８１には、スタッド１２ａ（図４）に嵌合可能な嵌合孔８２（本発明の第１の嵌合孔）と、スタッド１２ｂ（図４）に嵌合可能な嵌合孔８３（本発明の第１の嵌合孔）が形成されている。嵌合孔８２、８３は、スタッド１２ａ、１２ｂに同時に嵌合可能な位置に形成されている。
【００４５】
また、板ワッシャー８１には、嵌合孔８２、８３とともに、固定金具４１の立曲げ部４８に嵌合可能な長孔形状の角孔８４（本発明の第２の嵌合孔）が形成されている。この角孔８４は、立曲げ部４８の形状に合わせて、蓄電池ユニット３０のスライド方向（矢印Ａ方向）に平行に形成されている。この角孔８４は、スタッド１２ａ、１２ｂに嵌合孔８２、８３を嵌合させる際に同時に立曲げ部４８に嵌合可能な位置に形成されている。因みに、立曲げ部４８の一方の角部には切欠き部４８ａ（図５）が形成されており、板ワッシャー８１の角孔８４に対して立曲げ部４８を嵌合させ易くなっている。
【００４６】
これにより、図３に示すように、スタッド１２ａ、１２ｂおよび立曲げ部４８に板ワッシャー８１の嵌合孔８２、８３および角孔８４を嵌合させることで、当該板ワッシャー８１を固定金具４１の基底部（上面）４２に当接させることができる。この状態において、スタッド１２ａ、１２ｂにスプリングワッシャー９２を介してナット９１を螺合させることにより、ベースプレート１０上に固定金具４１を挟んで板ワッシャー８１を固定することができる。
【００４７】
かくして、蓄電池ユニット３０においては、その両側部（側面部３０ａ、３０ｂ）において、固定金具４１、５１を挟んで、板ワッシャー８１、１０１とベースプレート１０とが締結される。この締結状態において、図７および図９に示したように、側面部３０ｂ側の板ワッシャー１０１においては、固定金具５１の立曲げ部５８に板ワッシャー１０１の角孔１０４が嵌合されていることにより、固定金具５１と板ワッシャー１０１とは前後方向（矢印Ａで示す方向およびそれとは反対方向）に対して固定関係となる。すなわち、ナット９１が緩んで固定金具５１の基底部（上面）５２および板ワッシャー１０１の間に上下方向の遊びができても、板ワッシャー１０１が立曲げ部５８から完全に抜け落ちない限り、固定金具５１と板ワッシャー１０１とは前後方向に対して固定関係を維持することになる。
【００４８】
また、板ワッシャー１０１は、その嵌合孔１０２、１０３とスタッド１３ａ、１３ｂとが嵌合状態となっていることにより、ナット９１が緩んでスタッド１３ａ、１３ｂ（すなわちベースプレート１０）および板ワッシャー１０１の間に上下方向の遊びができても、ナット９１がスタッド１３ａ、１３ｂから完全に抜け落ちない限り、スタッド１３ａ、１３ｂ（すなわちベースプレート１０）と板ワッシャー１０１とは前後方向に対して固定関係を維持することになる。
【００４９】
これらにより、ナット９１が緩んでベースプレート１０および固定金具５１の間に上下方向の遊びができても、ナット９１がスタッド１３ａ、１３ｂから完全に抜け落ちない限り、また、板ワッシャー１０１が立曲げ部５８から完全に抜け落ちない限り、ベースプレート１０と固定金具５１とは前後方向に対して固定関係を維持することになる。
【００５０】
ここで、図１１に示すように、固定金具５１の立曲げ部５８の高さＬ１がスタッド１３ａ、１３ｂの高さＬ２、Ｌ３に対して少なくとも同等またはそれ以上となっていることにより、ナット９１がスタッド１３ａ、１３ｂから抜け落ちる前に板ワッシャー１０１がスタッド１３ａ、１３ｂから抜け落ちることがなくなる。換言すると、ナット９１がスタッド１３ａ、１３ｂから抜け落ちる前に、板ワッシャー１０１と固定金具５１との固定関係が外れることがなくなる。
【００５１】
これにより、固定金具５１において後方向に開放しスタッド１３ａ、１３ｂを前後方向
に挿脱可能なＵ字切欠き部５４、５６にスタッド１３ａ、１３ｂを嵌合した状態において、ナット９１が緩んで板ワッシャー１０１において僅かに上下方向に遊びができたとしても、ナット９１が緩んだだけではＵ字切欠き部５４、５６の開放部５４ａ、５６ａからスタッド１３ａ、１３ｂが後方に抜け出すことを防止することができる。すなわち、固定金具５１がスタッド１３ａ、１３ｂから抜け落ちることを防止することができる。すなわち、固定金具５１（蓄電池ユニット３０）がベースプレート１０から脱落することを防止することができる。
【００５２】
また、蓄電池ユニット３０の側面部３０ａ側の固定金具４１および板ワッシャー８１も同様の構成となっており、ベースプレート１０、固定金具４１および板ワッシャー８１の固定状態は、スタッド１２ａ、１２ｂに螺合されるナット９１（板ワッシャー１０１側のナット９１と同様の構成）が緩んでも、ナット９１がスタッド１２ａ、１２ｂから抜け落ちない限り、固定金具４１はベースプレート１０から脱落しない構成となっている。
【００５３】
また、板ワッシャー８１、１０１は、左右対称形の形状を有していることにより、当該板ワッシャー８１、１０１として同じ形状のものを２つ用意し、表裏で使い分けることができる。すなわち、一方の面を上面とした場合に板ワッシャー８１として用いることができ、他方の面を上面とした場合に板ワッシャー１０１として用いることができる。これにより、板ワッシャー８１、１０１として左右別々の形状のものを製造する場合に比べて、製造コストを低減することができる。
【００５４】
また、板ワッシャー８１、１０１には、１つの角部に面取り部８５、１０５が形成されていることにより、蓄電池ユニット３０を設置する作業者は、この面取り部８５、１０５によって板ワッシャー８１、１０１の向きを手探りで把握することができる。すなわち、板ワッシャー８１、１０１として用いることができる左右対称形のものについて、その面取り部８５、１０５の形成位置から、一方の面または他方の面のいずれが上面となっているか、および板ワッシャーの向きを手探りで把握することができる。
【００５５】
これにより、例えば屋内の狭い設置場所に蓄電池ユニット３０を設置する場合において、当該蓄電池ユニット３０の側面部を直接目視し難い状況であっても、作業者は面取り部８５、１０５の方向によって手探りで板ワッシャー８１、１０１の表裏およびその方向を把握しこれを蓄電池ユニット３０の右側面部３０ａ、左側面部３０ｂに対して容易に取り付けることが可能となる。
【００５６】
以上の構成において、蓄電池ユニット３０をベースプレート１０上に設置する場合、まず、両側面部３０ａ、３０ｂに固定金具４１、５１がネジ止めされた蓄電池ユニット３０をベースプレート１０の前方に載せ、ベースプレート１０上を後方（矢印Ａ方向）にスライドさせる。
【００５７】
この場合、固定金具４１、５１の各Ｕ字切欠き部４４、４６、５４、５６には、後方に開放する開放部４４ａ、４６ａ、５４ａ、５６ａにガイド部４５ｃ、４５ｄ、４７ｂ、５５ｃ、５５ｄ、５７ｂが形成されていることにより、ベースプレート１０のスタッド１２ａ、１２ｂ、１３ａ、１３ｂは、これらのガイド部４５ｃ、４５ｄ、４７ｂ、５５ｃ、５５ｄ、５７ｂにガイドされてＵ字切欠き部４４、４６、５４、５６内に後方から嵌合される。すなわち、蓄電池ユニット３０を持ち上げることなく、各Ｕ字切欠き部４４、４６、５４、５６内にスタッド１２ａ、１２ｂ、１３ａ、１３ｂを容易に嵌合させることができる。
【００５８】
この嵌合された状態において、板ワッシャー８１、１０１をナット９１を用いて締結することにより、ベースプレート１０と板ワッシャー８１、１０１との間に固定金具４１、５１を挟んだ状態でこれらを固定する。この場合、作業者は、板ワッシャー８１、１０１の面取り部８５、１０５によってその方向および表裏を手探りで把握することができ、狭い設置場所であっても、容易に板ワッシャー８１、１０１を取り付けることができる。
【００５９】
この固定状態では、スタッド１２ａ、１２ｂ、１３ａ、１３ｂと板ワッシャー８１、１０１の嵌合孔８２、８３、１０２、１０３とが嵌合状態となることにより、ベースプレート１０と板ワッシャー８１、１０１とが固定関係になり、さらに、板ワッシャー８１、１０１の角孔８４、１０４と立曲げ部４８、５８とが嵌合状態となることにより、板ワッシャー８１、１０１と固定金具４１、５１とが固定関係になる。
【００６０】
これらにより、ベースプレート１０に対して固定金具４１、５１が固定関係になるため、固定金具４１、５１を側面部（右側面部３０ａ、左側面部３０ｂ）にネジ止めした蓄電池ユニット３０はベースプレート１０上に固定されることになる。
【００６１】
このようにベースプレート１０上に蓄電池ユニット３０が固定された状態において、例えば地震の発生等によって蓄電池ユニット３０に比較的強い振動が加わった場合、仮にナット９１が緩んだとしても、ナット９１がスタッド１２ａ、１２ｂ、１３ａ、１３ｂから完全に抜け落ちない限りベースプレート１０と蓄電池ユニット３０との固定関係が保たれることになる。
【００６２】
また、固定金具４１、５１に形成された立曲げ部４８、５８を、蓄電池ユニット３０のスライド方向（矢印Ａ方向）に平行に形成することにより、蓄電池ユニット３０の脱着方向に対する強度および耐久性を向上させることができる。
【００６３】
具体的には、立曲げ部４８、５８は、固定金具４１、５１の基底部４２、５２からＬ字状に切り起こされており、このような形状では、基底部４２、５２からＬ字状に切り起こされる折曲げ部４８ｂ、５８ｂにおいてその折り曲げ方向に対する強度および耐久性が低くなる。従って本実施形態における立曲げ部４８、５８は、その折曲げ方向を蓄電池ユニット３０のスライド方向である矢印Ａ方向と直交する方向となるように構成することにより、Ｕ字切欠き部４４、４６、５４、５６の開放方向（すなわち、ナット９１が緩んだ場合に蓄電池ユニット３０が動き得る方向）である矢印Ａ方向に対する強度が低くなることを防止している。
【００６４】
すなわち、ナット９１が緩んだ状態において、地震などによって蓄電池ユニット３０が動く可能性のある方向は、Ｕ字切欠き部４４、４６、５４、５６の開放方向である矢印Ａ方向となる。この方向に蓄電池ユニット３０が動こうとする場合、ナット９１がスタッド１２ａ、１２ｂ、１３ａ、１３ｂから完全に抜け落ちない限り、蓄電池ユニット３０に固定されている固定金具４１、５１の立曲げ部４８、５８は、嵌合関係にある板ワッシャー８１、１０１の角孔８４、１０４によってその動きが規制される。
【００６５】
この場合、立曲げ部４８、５８が動こうとする方向（矢印Ａ方向）と平行に当該立曲げ部４８、５８が形成されていることにより、当該動きを規制する力は、立曲げ部４８、５８の折曲げ方向と略直交する方向に加わることになる。すなわち、立曲げ部４８、５８の強度が比較的低い折曲げ方向に力が加わり難い構成とすることができる。
【００６６】
以上の構成によれば、ベースプレート１０上をスライドさせることで容易に蓄電池ユニット３０を設置および固定することができる。また、一旦固定された蓄電池ユニット３０は、地震などによって容易にベースプレート１０から外れないようにすることができる。
【００６７】
なお、上述の実施形態においては、１つの固定金具４１、５１にそれぞれ２つのＵ字切欠き部４４、４６、５４、５６を設ける場合について述べたが、Ｕ字切欠き部４４、４６、５４、５６の数はこれに限られるものではなく、１つまたは３つ以上の数を適用することができる。この場合、当該Ｕ字切欠き部の数および位置に合わせて板ワッシャー８１、１０１に嵌合孔および角孔を設けるようにすればよい。なお、複数のＵ字切欠き部を設ける場合には、上述した実施形態で示したように、固定金具の基底部の略対角位置に設けることによって、前後左右のいずれの振動方向に対しても蓄電池ユニットをベースプレートに強固に固定することができる。
【００６８】
また、上述の実施形態においては、板ワッシャー８１、１０１の方向特定形状部として、１つの角部に面取り部８５、１０５を設けてそれぞれの取付方向を手探りで把握可能とする場合について述べたが、取付方向を把握するための構成はこれに限られず、例えば、板ワッシャー８１、１０１の側縁部の一部を切り欠いたり、面取りしたりする方法を適用することができる。
【００６９】
また、上述の実施形態においては、ベースプレート１０にスタッド１２ａ、１２ｂ、１３ａ、１３ｂを設け、当該ベースプレート１０上に蓄電池ユニット３０を固定する場合について述べたが、蓄電池ユニット３０の設置対象はこれに限られるものではなく、例えば床面に直接スタッド１２ａ、１２ｂ、１３ａ、１３ｂを設けるようにしてもよく、種々の設置対象を適用することができる。
【００７０】
また、上述の実施形態においては、本発明を蓄電池ユニット３０の設置に係る固定構造に適用する場合について述べたが、これに限られるものではなく、他の種々の電気機器を設置する場合に用いられる固定構造に広く適用することができる。
【符号の説明】
【００７１】
１０  ベースプレート
１０ａ  右縁部
１０ｂ  左縁部
１０ｃ  後縁部
１０ｄ  前縁部
１２ａ、１２ｂ、１３ａ、１３ｂ  スタッド
３０  蓄電池ユニット（電気機器）
３１  運搬用ハンドル
３０ａ  右側面部
３０ｂ  左側面部
４１、５１  固定金具
４４、４６、５４、５６  Ｕ字切欠き部
４８、５８  立曲げ部
８１、１０１  板ワッシャー
８２、８３、１０２、１０３  嵌合孔
９１  ナット
【図１】
2019212767.tif 000003
【図２】
2019212767.tif 000004
【図３】
2019212767.tif 000005
【図４】
2019212767.tif 000006
【図５】
2019212767.tif 000007
【図６】
2019212767.tif 000008
【図７】
2019212767.tif 000009
【図８】
2019212767.tif 000010
【図９】
2019212767.tif 000011
【図１０】
2019212767.tif 000012
【図１１】
2019212767.tif 000013
【図１２】
2019212767.tif 000014